(57)【特許請求の範囲】
【請求項１】
シート幅方向に対向して設けられている一対のサイドフレームに架け渡された構造材と、
前記構造材の着座者支持側面に取り付けられたサポートと、
を備え、
前記サポートは、前記着座者支持側面上で積み重ねられた複数のブロック部材と、前記複数のブロック部材を一体に前記構造材に固定する少なくとも一つの固定部材と、を含み、
前記複数のブロック部材のそれぞれは、積み重ね方向と交差する一方の面に設けられた凸部と、積み重ね方向と交差する他方の面において前記凸部の背後に設けられ、他のブロック部材の凸部が嵌合可能な凹部との組を少なくとも一組有する車両用シート。
【請求項２】
請求項１記載の車両用シートであって、
前記複数のブロック部材は、形状が互いに同じである車両用シート。
【請求項３】
請求項１記載の車両用シートであって、
前記複数のブロック部材は、前記積み重ね方向の寸法が互いに異なる複数種のブロック部材を含む車両用シート。
【請求項４】
請求項１記載の車両用シートであって、
前記複数のブロック部材は、前記シート幅方向及び前記積み重ね方向と直交する方向の寸法が上段のブロック部材ほど小さい車両用シート。
【請求項５】
請求項１から４のいずれか一項記載の車両用シートであって、
前記構造材は、前記ブロック部材の前記凸部又は前記凹部と嵌合する嵌合部を有する車両用シート。
【発明の詳細な説明】
【技術分野】
【０００１】
本発明は、車両用シートに関する。
【背景技術】
【０００２】
着座者の腰部を支持するランバーサポートを備えた車両用シートが知られている（例えば、特許文献１，２参照）。
【０００３】
特許文献１に記載された車両用シートのランバーサポートは板金部材によって構成されており、板金部材は、シートバックの左右一対のサイドフレームに架け渡され、一対のサイドフレームを接続している。
【０００４】
特許文献２に記載された車両用シートのランバーサポートは樹脂パネルによって構成されており、樹脂パネルは、シートバックの左右一対のサイドフレームの間でサイドフレームに沿って延びる一対のコンターばねに架け渡され、一対のコンターばねに組み付けられている。
【先行技術文献】
【特許文献】
【０００５】
【特許文献１】特開２０１２−１３６０５８号公報
【特許文献２】特開２０１０−１７３３５３号公報
【発明の概要】
【発明が解決しようとする課題】
【０００６】
特許文献１に記載された車両用シートでは、一対のサイドフレームを接続している板金部材からなるランバーサポートの支持面の位置を、例えばシートの仕様に合わせてサイドフレームに対して前後させる場合に、仕様毎に異なる板金部材を製造する必要があり、適応性に欠け、製造コストも嵩む。
【０００７】
特許文献２に記載された車両用シートも同様であり、一対のコンターばねに組み付けられている樹脂パネルからなるランバーサポートの支持面の位置を、例えばシートの仕様に合わせてサイドフレームに対して前後させる場合に、仕様毎に異なる樹脂パネルを製造するか又は仕様毎に異なるコンターばねを製造する必要あり、適応性に欠け、製造コストも嵩む。
【０００８】
本発明は、上述した事情に鑑みなされたものであり、サポートの支持面を柔軟に変更でき、製造コストの低減が可能な車両用シートを提供することを目的とする。
【課題を解決するための手段】
【０００９】
本発明の一態様の車両用シートは、シート幅方向に対向して設けられている一対のサイドフレームに架け渡された構造材と、前記構造材の着座者支持面に取り付けられたサポートと、を備え、前記サポートは、前記着座者支持面上で積み重ねられた複数のブロック部材と、前記複数のブロック部材を一体に前記構造材に固定する少なくとも一つの固定部材と、を含み、前記複数のブロック部材のそれぞれは、積み重ね方向と交差する一方の面に設けられた凸部と、積み重ね方向と交差する他方の面において前記凸部の背後に設けられ、他のブロック部材の凸部が嵌合可能な凹部との組を少なくとも一組有する。
【発明の効果】
【００１０】
本発明によれば、サポートの支持面を柔軟に変更でき、製造コストの低減が可能な車両用シートを提供することができる。
【図面の簡単な説明】
【００１１】
【図１】本発明の実施形態を説明するための、ランバーサポートを備える車両用シートの一例の斜視図である。
【図２】図１の破線枠ＩＩで囲まれた部分の拡大斜視図である。
【図３】図１の車両用シートのランバーサポートの分解斜視図である。
【図４】図３のランバーサポートの断面図である。
【図５】図３のランバーサポートの変形例の分解斜視図である。
【図６】図３のランバーサポートの他の変形例の分解斜視図である。
【図７】図３のランバーサポートの他の変形例の側面図である。
【図８】本発明の実施形態を説明するための、サイサポートを備える車両用シートの一例の要部斜視図である。
【図９】図８の車両用シートのサイサポートの分解斜視図である。
【図１０】図９のサイサポートの変形例の側面図である。
【発明を実施するための形態】
【００１２】
図１及び図２は、本発明の実施形態を説明するための、車両用シートの一例を示す。
【００１３】
図１及び図２に示す車両用シート１は、自動車等の車両に搭載されるシートであって、座面部分を構成するシートクッション２と、背もたれ部分を構成するシートバック３と、着座者の腰部を支持するランバーサポート４とを備える。
【００１４】
シートクッション２は、シート幅方向に間隔をあけて配置された一対のクッションサイドフレーム１０を有する。シートバック３もまた、シート幅方向に間隔をあけて配置された一対のバックサイドフレーム１１を有する。バックサイドフレーム１１それぞれの下端部は、クッションサイドフレーム１０の後端部に接続されている。
【００１５】
一対のバックサイドフレーム１１の下端部の間には板金部材からなる構造材としてのクロスメンバ１２が架け渡されており、一対のバックサイドフレーム１１はクロスメンバ１２によって相互に接続されている。ランバーサポート４は、クロスメンバ１２の着座者支持側面１２ａ、すなわちシートバック３の背もたれ面側に向く面に取り付けられている。
【００１６】
図３はランバーサポート４を分解して示し、図４はランバーサポート４を構成するブロック部材を示す。
【００１７】
ランバーサポート４は、複数のブロック部材１３と、固定部材１４とを含む。
【００１８】
ブロック部材１３のそれぞれは、略矩形板の樹脂製部材であって、軽量及び高強度を兼ね備えるハニカム構造体とされている。図示の例では、形状が互いに同じ、即ち長さＬ、幅Ｗ、厚みＴが互いに同じ二つのブロック部材１３が、長さ方向をシート幅方向に揃え、クロスメンバ１２の着座者支持側面１２ａ上で厚さ方向に積み重ねられている。
【００１９】
ブロック部材１３のそれぞれは、凸部２０及び凹部２１の組を二組有する。凸部２０はブロック部材１３の積み重ね方向（厚み方向）と交差する一方の面に設けられており、略円柱状に形成されている。凹部２１は、ブロック部材１３の積み重ね方向と交差する他方の面において、組をなす凸部２０の背後に設けられており、他のブロック部材１３の凸部２０が嵌合可能に形成されている。
【００２０】
積み重ねられる二つのブロック部材１３は、一方のブロック部材１３の凸部２０が他方のブロック部材１３の凹部２１に嵌合して積み重ねられている。凸部２０と凹部２１との嵌合により、積み重ね方向に垂直な面内での二つのブロック部材１３の相対変位が阻止される。さらに、凸部２０及び凹部２１の組がブロック部材１３のそれぞれに二組設けられていることから、二つのブロック部材１３の間の凸部２０と凹部２１との嵌合箇所もまた二箇所に設けられ、積み重ね方向に垂直な面内での二つのブロック部材１３の相対回転もまた阻止される。
【００２１】
なお、三つ以上のブロック部材１３を積み重ねることもできる。この場合にも、積み重ね方向に隣り合う二つのブロック部材１３の間での二箇所における凸部２０と凹部２１との嵌合により、積み重ね方向に垂直な面内での隣り合う二つのブロック部材１３の相対変位及び相対回転が阻止される。
【００２２】
固定部材１４はボルト２２及びナット２３を有する。ボルト２２が、クロスメンバ１２に設けられた挿通孔を通して、複数のブロック部材１３をそれらの積み重ね方向に一続きに貫いて設けられ、ナット２３が、ボルト２２の頭部との間でクロスメンバ１２及び複数のブロック部材１３を挟んでボルト２２に締結される。これにより、積み重ねられた複数のブロック部材１３は一体にクロスメンバ１２に固定される。ボルト２２には、積み重ねられた複数のブロック部材１３の合計厚みに応じて適宜な長さのボルトが用いられる。
【００２３】
積み重ねられた複数のブロック部材１３は、二つの固定部材１４によってクロスメンバ１２に固定されている。これにより、ランバーサポート４は、一方の固定部材１４まわりの回転が他方の固定部材１４によって阻止された状態でクロスメンバ１２に取り付けられる。
【００２４】
なお、固定部材１４は、複数のブロック部材１３の積み重ね方向に並ぶ凸部２０及び凹部２１を一続きに貫いて設けられているが、固定部材１４は複数のブロック部材１３の任意の箇所に設けることができる。
【００２５】
また、凸部２０が設けられた面をクロスメンバ１２の着座者支持側面１２ａに向けて複数のブロック部材１３が積み重ねられているが、凹部２１が設けられた面をクロスメンバ１２の着座者支持側面１２ａに向けて複数のブロック部材１３が積み重ねられてもよい。
【００２６】
以上のランバーサポート４によれば、クロスメンバ１２の着座者支持側面１２ａ上で積み重ねられるブロック部材１３の数を変更することにより、ランバーサポート４の支持面、即ち積み重ねられた複数のブロック部材１３のうち最上段に配置されたブロック部材１３の表面の位置を柔軟に変更することができる。
【００２７】
積み重ねられた複数のブロック部材１３は、積み重ね方向に隣り合う二つのブロック部材１３の間での二箇所における凸部２０と凹部２１との嵌合により、積み重ね方向と垂直な面内での隣り合う二つのブロック部材１３の相対変位及び相対回転が阻止されるので、単一の部材で構成される場合と使用感に変わりはない。
【００２８】
そして、積み重ねられるブロック部材１３の数を変更することによってランバーサポート４の支持面の位置を柔軟に変更可能であることから、支持面の位置が異なる種々の仕様の車両用シートに対してブロック部材１３を共通して用いることができ、製造コストを低減することができる。
【００２９】
さらに、本例では、形状が互いに同じ単一種のブロック部材１３が用いられるので、製造コストのさらなる低減が可能である。
【００３０】
図５から図７は上述したランバーサポート４の変形例を示す。
【００３１】
図５に示す例では、ブロック部材１３のそれぞれに凸部２０及び凹部２１の組が一組設けられており、積み重ね方向に隣り合う二つのブロック部材１３の間の凸部２０と凹部２１との嵌合箇所が一箇所とされている。
【００３２】
そして、積み重ねられた複数のブロック部材１３は、一つの固定部材１４によって、一体にクロスメンバ１２に固定されており、複数のブロック部材１３をそれらの積み重ね方向に一続きに貫く固定部材１４のボルト２２は、複数のブロック部材１３の積み重ね方向に並ぶ凸部２０及び凹部２１から外れて設けられている。
【００３３】
本例では、積み重ね方向に隣り合う二つのブロック部材１３の間での一箇所における凸部２０と凹部２１との嵌合、及び凸部２０と凹部２１との嵌合箇所を外れて隣り合う二つのブロック部材１３を一続きに貫くボルト２２により、隣り合う二つのブロック部材１３の相対変位及び相対回転が阻止される。
【００３４】
また、クロスメンバ１２には、ブロック部材１３の凸部２０が嵌合可能な孔である嵌合部２４が設けられている。凸部２０が設けられた面をクロスメンバ１２の着座者支持側面１２ａに向けて複数のブロック部材１３が積み重ねられ、最下段に配置されたブロック部材１３の凸部２０が孔である嵌合部２４に嵌合している。最下段のブロック部材１３の凹部２１と嵌合部２４との嵌合により、ランバーサポート４は、固定部材１４まわりの回転が阻止された状態でクロスメンバ１２に取り付けられる。
【００３５】
なお、嵌合部２４は、ブロック部材１３の凹部２１に嵌合可能な凸部とすることもできる。この場合には、凹部２１が設けられた面をクロスメンバ１２の着座者支持側面１２ａに向けて複数のブロック部材１３が積み重ねられ、最下段に配置されたブロック部材１３の凹部２１に凸部である嵌合部２４が嵌合する。
【００３６】
図６に示す例は、厚みが異なる複数種のブロック部材を用いたものであり、図示の例では厚みが相対的に大きいブロック部材１３ａと、厚みが相対的に小さいブロック部材１３ｂとの二つのブロック部材が、クロスメンバ１２の着座者支持側面１２ａ上で積み重ねられている。
【００３７】
例えば、ブロック部材１３ａの厚みがブロック部材１３ｂの厚みの２倍であるものとして、積み重ねられたブロック部材１３ａ及びブロック部材１３ｂの二つのブロック部材の合計の厚みをブロック部材１３ｂのみを積み重ねて得る場合に比べ、積み重ねるブロック部材の数を減らすことができる。これにより、複数のブロック部材のクロスメンバ１２への組み付けを容易とすることができる。
【００３８】
ブロック部材の厚みは、三種以上あってもよく、ランバーサポート４の支持面の位置のバリエーションや複数種のブロック部材の製造コストなどを考慮して適宜選定される。
【００３９】
図７に示す例は、幅が互いに異なる複数のブロック部材を用いたものであり、図示の例では、幅が相対的に最も大きいブロック部材１３ｃと、幅がブロック部材１３ｃより小さいブロック部材１３ｄと、幅がブロック部材１３ｄより小さいブロック部材１３ｅとの三つのブロック部材が、この順にクロスメンバ１２の着座者支持側面１２ａ上で積み重ねられている。すなわち、上段のブロック部材ほど幅が小さくなっている。
【００４０】
本例によれば、ランバーサポート４の支持面を、前湾している腰椎の形状に合うように階段状に傾斜させることができ、腰部のホールド感を高めることができる。
【００４１】
図８は、本発明の実施形態を説明するための、車両用シートの他の例を示す。
【００４２】
図８に示す車両用シート１０１は、自動車等の車両に搭載されるシートであって、座面部分を構成するシートクッション１０２と、着座者の大腿部を支持するサイサポート１０４とを備える。
【００４３】
シートクッション１０２は、シート幅方向に間隔をあけて配置された一対のクッションサイドフレーム１１０を有する。一対のクッションサイドフレーム１１０の前端部の間には板金部材からなる構造材としてのシートパン１１２が架け渡されており、一対のクッションサイドフレーム１１０はシートパン１１２によって相互に接続されている。サイサポート１０４は、シートパン１１２の着座者支持側面１１２ａ、すなわちシートクッション２の座面側に向く面に取り付けられている。
【００４４】
図９は、サイサポート１０４を分解して示す。
【００４５】
サイサポート１０４は、上述したランバーサポート４と同様に構成されており、複数のブロック部材１３と、固定部材１４とを含む。
【００４６】
図示の例では、形状が互いに同じ二つのブロック部材１３が、長さ方向をシート幅方向に揃え、シートパン１１２の着座者支持側面１１２ａ上で厚さ方向に積み重ねられている。
【００４７】
ブロック部材１３のそれぞれは、凸部２０及び凹部２１の組を二組有しており、積み重ねられる二つのブロック部材１３は、一方のブロック部材１３の凸部２０が他方のブロック部材１３の凹部２１に嵌合して積み重ねられている。積み重ね方向に隣り合う二つのブロック部材１３の間での二箇所における凸部２０と凹部２１との嵌合により、積み重ね方向に垂直な面内での隣り合う二つのブロック部材１３の相対変位及び相対回転が阻止される。
【００４８】
固定部材１４は、複数のブロック部材１３をそれらの積み重ね方向に一続きに貫いて設けられるボルト２２と、ボルト２２の頭部との間でシートパン１１２及び複数のブロック部材１３を挟んでボルト２２に締結されるナット２３を有し、積み重ねられた複数のブロック部材１３を一体にシートパン１１２に固定する。
【００４９】
積み重ねられた複数のブロック部材１３は、二つの固定部材１４によって、シートパン１１２に固定されている。これにより、サイサポート１０４は、一方の固定部材１４まわりの回転が他方の固定部材１４によって阻止された状態でシートパン１１２に取り付けられる。
【００５０】
以上のサイサポート１０４によれば、シートパン１１２の着座者支持側面１１２ａ上で積み重ねられるブロック部材１３の数を変更することにより、サイサポート１０４の支持面、即ち積み重ねられた複数のブロック部材１３のうち最上段に配置されたブロック部材１３の表面の位置を柔軟に変更することができる。
【００５１】
積み重ねられた複数のブロック部材１３は、積み重ね方向に隣り合う二つのブロック部材１３の間での二箇所における凸部２０と凹部２１との嵌合により、積み重ね方向と垂直な面内での隣り合う二つのブロック部材１３の相対変位及び相対回転が阻止されるので、単一の部材で構成される場合と使用感に変わりはない。
【００５２】
そして、積み重ねられるブロック部材１３の数を変更することによってサイサポート１０４の支持面の位置を柔軟に変更可能であることから、支持面の位置が異なる種々の仕様の車両用シートに対してブロック部材１３を共通して用いることができ、製造コストを低減することができる。
【００５３】
サイサポート１０４についても、図５から図７に示したランバーサポート４の種々の変形例の構成を適用可能である。
【００５４】
図１０は、図７に示した幅が互いに異なる複数のブロック部材を用いたランバーサポート４の変形例の構成をサイサポート１０４に適用した例であり、本例によれば、サイサポート１０４の支持面を、シートクッション１０２の前端に向けて上り勾配となるように階段状に傾斜させることができ、大腿部のホールド感を高めることができる。
【符号の説明】
【００５５】
１     車両用シート
２     シートクッション
３     シートバック
４     ランバーサポート
１０   クッションサイドフレーム
１１   バックサイドフレーム
１２   クロスメンバ（構造材）
１２ａ 着座者支持側面
１３   ブロック部材
１４   固定部材
２０   凸部
２１   凹部
２４   嵌合部
【図１】
0006594172.tif 000002
【図２】
0006594172.tif 000003
【図３】
0006594172.tif 000004
【図４】
0006594172.tif 000005
【図５】
0006594172.tif 000006
【図６】
0006594172.tif 000007
【図７】
0006594172.tif 000008
【図８】
0006594172.tif 000009
【図９】
0006594172.tif 000010
【図１０】
0006594172.tif 000011